(57)【要約】【課題】空調装置の暖房運転が除霜運転開始等に伴い停止される場合に室温が低下するのを抑制することができる建物の空調システムを提供する。【解決手段】空調システム５０は、一階部屋１６〜１８を空調エリアとする第１空調装置５１と、二階部屋２６，２７を空調エリアとする第２空調装置５２とを備える。第１空調装置５１により生成される暖気は空調ダクト５５を通じて一階部屋１６〜１８に供給され、第２空調装置５２により生成される暖気は空調ダクト５８を通じて二階部屋２６，２７に供給される。また、第１空調装置５１により生成される暖気を二階部屋２７に供給する空調ダクト６１を備え、その空調ダクト６１を通じて二階部屋２７に暖気を供給するか否かを、第２空調装置５２の運転状態に応じて切替可能となっている。【選択図】      図１
2020085328.tif 000002
【特許請求の範囲】
【請求項１】
室内機と室外機とを有するとともに、少なくとも暖房運転が可能とされた複数の空調装置を備え、
前記各空調装置は、建物内にて互いに重複しないよう設定された各々の空調エリアを空調対象として空調を行う建物の空調システムであって、
前記各空調装置ごとに設けられ、前記空調装置の暖房運転により生成される暖気を当該空調装置の前記空調エリアへ供給するための第１空調ダクトと、
前記各空調装置のうち所定の空調装置に対して設けられ、当該所定の空調装置により生成される暖気を当該所定の空調装置とは異なる他の前記空調装置の前記空調エリアへ供給するための第２空調ダクトと、
前記所定の空調装置により生成される暖気を前記第２空調ダクトを通じて前記他の空調装置の前記空調エリアに供給するか否かを切り替える切替手段と、
前記他の空調装置の運転状態に応じて、前記切替手段を制御する制御手段と、
を備えることを特徴とする建物の空調システム。
【請求項２】
前記他の空調装置は、その暖房運転中に所定の除霜開始条件が成立すると除霜運転を開始するようになっており、
前記制御手段は、前記他の空調装置の除霜運転中において、前記所定の空調装置により生成される暖気を前記他の空調装置の前記空調エリアに供給する他エリア給気処理を行うよう前記切替手段を制御することを特徴とする請求項１に記載の建物の空調システム。
【請求項３】
前記他の空調装置について前記除霜開始条件の成立が近づいたことを判定する判定手段を備え、
前記制御手段は、前記他の空調装置について前記除霜開始条件の成立が近づいたと判定された場合に、前記切替手段を制御して前記他エリア給気処理を開始することを特徴とする請求項２に記載の建物の空調システム。
【請求項４】
前記他の空調装置に加え、前記所定の空調装置も、その暖房運転中に所定の除霜開始条件が成立すると除霜運転を開始するようになっており、
前記他の空調装置について前記除霜開始条件の成立が近づいたことを判定する判定手段と、
前記他の空調装置について前記除霜開始条件の成立が近づいたと判定された場合に、当該除霜開始条件の成立に伴い開始される当該他の空調装置の除霜運転中に前記所定の空調装置の除霜運転が開始される可能性があるか否かを予測する予測手段とを備え、
前記制御手段は、前記予測手段により当該他の空調装置の除霜運転中に前記所定の空調装置の除霜運転が開始される可能性があると予測された場合には、当該他の空調装置の除霜運転を直ちに開始させることを特徴とする請求項２又は３に記載の建物の空調システム。
【請求項５】
前記制御手段は、前記他エリア給気処理を行う前に前記所定の空調装置が暖房運転とは異なる非暖房運転状態にある場合には、当該所定の空調装置の暖房運転を実行させ、
当該他エリア給気処理の終了後は、当該所定の空調装置を前記非暖房運転状態に復帰させることを特徴とする請求項２乃至４のいずれか一項に記載の建物の空調システム。
【請求項６】
前記切替手段としての第１切替手段に加え、前記所定の空調装置により生成される暖気を前記第１空調ダクトを通じて当該所定の空調装置の前記空調エリアに供給するか否かを切り替える第２切替手段を備え、
前記制御手段は、前記他エリア給気処理を行う前に当該所定の空調装置が暖房運転とは異なる運転状態にある場合には、当該所定の空調装置の暖房運転を実行させるともに、その暖房運転により生成される暖気が当該所定の空調装置の前記空調エリアへ供給されないよう前記第２切替手段を制御することを特徴とする請求項２乃至５のいずれか一項に記載の建物の空調システム。
【請求項７】
前記各空調装置がそれぞれ前記第２空調ダクトが設けられた前記所定の空調装置となっており、
前記各第２空調ダクトに対してそれぞれ前記切替手段が設けられていることを特徴とする請求項１乃至６のいずれか一項に記載の建物の空調システム。
【発明の詳細な説明】
【技術分野】
【０００１】
本発明は、建物の空調システムに関する。
【背景技術】
【０００２】
住宅等の建物において、共通の空調装置を用いて全館空調を行う全館空調システムが知られている。例えば、特許文献１には、かかる空調システムとして、複数の空調装置により建物内の空調（冷暖房）を行うシステムが開示されている。この特許文献１の空調システムでは、空調装置として、建物の一階部分の空調を行う第１空調装置と、二階部分の空調を行う第２空調装置とが設けられている。この場合、第１空調装置は空調空気（冷気又は暖気）を生成し、その空調空気をダクトを通じて一階部分の各部屋へ供給する。これにより、一階部分の各部屋の冷暖房が行われる。また、第２空調装置は空調空気（冷気又は暖気）を生成し、その空調空気をダクトを通じて二階部分の各部屋へ供給する。これにより、二階部分の各部屋の冷暖房が行われる。
【０００３】
空調装置は、室内機と室外機とを有し、それら室内機及び室外機が冷媒管を介して互いに接続されることにより構成されている。ここで、空調装置は、暖房運転時においては、室外機に内蔵された熱交換器が低温となり霜が付着することがある。熱交換器に霜が付着すると、暖房効率の低下を招くことになるため、空調装置では、霜の付着を防止するため定期的に除霜運転が行われるようになっている。
【先行技術文献】
【特許文献】
【０００４】
【特許文献１】特開２０１２−８８００９号公報
【発明の概要】
【発明が解決しようとする課題】
【０００５】
ところで、上記特許文献１の空調システムにおいて、第１空調装置及び第２空調装置のいずれかで除霜運転が開始されると、その空調装置では暖房運転が停止されることになる。このため、その空調装置の空調対象とされている部屋では室温が低下するおそれがある。
【０００６】
本発明は、上記事情に鑑みてなされたものであり、空調装置の暖房運転が除霜運転開始等に伴い停止される場合に室温が低下するのを抑制することができる建物の空調システムを提供することを主たる目的とするものである。
【課題を解決するための手段】
【０００７】
上記課題を解決すべく、第１の発明の建物の空調システムは、室内機と室外機とを有するとともに、少なくとも暖房運転が可能とされた複数の空調装置を備え、前記各空調装置は、建物内にて互いに重複しないよう設定された各々の空調エリアを空調対象として空調を行う建物の空調システムであって、前記各空調装置ごとに設けられ、前記空調装置の暖房運転により生成される暖気を当該空調装置の前記空調エリアへ供給するための第１空調ダクトと、前記各空調装置のうち所定の空調装置に対して設けられ、当該所定の空調装置により生成される暖気を当該所定の空調装置とは異なる他の前記空調装置の前記空調エリアへ供給するための第２空調ダクトと、前記所定の空調装置により生成される暖気を前記第２空調ダクトを通じて前記他の空調装置の前記空調エリアに供給するか否かを切り替える切替手段と、を備えることを特徴とする。
【０００８】
本発明の空調システムでは、暖房運転と除霜運転とが可能な複数の空調装置が設けられ、それら各空調装置が各々の空調エリアを空調対象として空調を行うものとなっている。各空調装置に対してはそれぞれ第１空調ダクトが設けられており、空調装置の暖房運転時においては、その暖房運転により生成される暖気が第１空調ダクトを通じて当該空調装置の空調エリアに供給されるようになっている。これにより、各空調装置により各々の空調エリアの暖房が行われるようになっている。
【０００９】
かかる空調システムにあって、本発明では、各空調装置のうち所定の空調装置に対しては、第１空調ダクトに加え、さらに第２空調ダクトが設けられている。この場合、所定の空調装置により生成される暖気をその第２空調ダクトを通じて他の空調装置の空調エリアへ供給することが可能となっている。また、他の空調装置の空調エリアへ暖気を供給するか否かは切替手段により切り替えが可能となっており、その切り替えが他の空調装置の運転状態に応じて行われるようになっている。この場合、他の空調装置で除霜運転が開始される等して暖房運転が停止される場合に、当該他の空調装置の空調エリアへ所定の空調装置から暖気を供給するよう切り替えることが可能となり、それにより、当該空調エリアの室温が低下するのを抑制することができる。これにより、空調装置の暖房運転が除霜運転等に伴い一時的に停止される場合に室温が低下するのを抑制することができる。
【００１０】
第２の発明の建物の空調システムは、第１の発明において、前記他の空調装置は、その暖房運転中に所定の除霜開始条件が成立すると除霜運転を開始するようになっており、前記制御手段は、前記他の空調装置の除霜運転中において、前記所定の空調装置により生成される暖気を前記他の空調装置の前記空調エリアに供給する他エリア給気処理を行うよう前記切替手段を制御することを特徴とする。
【００１１】
本発明によれば、他の空調装置の除霜運転中においては、切替手段の制御により、所定の空調装置により生成される暖気が他の空調装置の空調エリアに供給される。これにより、空調装置の除霜運転に伴い空調エリアの室温が低下するのを抑制することが可能となる。
【００１２】
第３の発明の建物の空調システムは、第２の発明において、前記他の空調装置について前記除霜開始条件の成立が近づいたことを判定する判定手段を備え、前記制御手段は、前記他の空調装置について前記除霜開始条件の成立が近づいたと判定された場合に、前記切替手段を制御して前記他エリア給気処理を開始することを特徴とする。
【００１３】
本発明によれば、他の空調装置について除霜開始条件の成立が近づいた場合に、所定の空調装置から他の空調装置の空調エリアへ暖気の供給（他エリア給気処理）が開始される。この場合、他の空調装置の除霜運転が開始する前から当該他の空調装置の空調エリアへ暖気が供給されるため、除霜運転に伴う室温の低下をより一層抑制することができる。
【００１４】
第４の発明の建物の空調システムは、第２又は第３の発明において、前記他の空調装置に加え、前記所定の空調装置も、その暖房運転中に所定の除霜開始条件が成立すると除霜運転を開始するようになっており、前記他の空調装置について前記除霜開始条件の成立が近づいたことを判定する判定手段と、前記他の空調装置について前記除霜開始条件の成立が近づいたと判定された場合に、当該除霜開始条件の成立に伴い開始される当該他の空調装置の除霜運転中に前記所定の空調装置の除霜運転が開始される可能性があるか否かを予測する予測手段とを備え、前記制御手段は、前記予測手段により当該他の空調装置の除霜運転中に前記所定の空調装置の除霜運転が開始される可能性があると予測された場合には、当該他の空調装置の除霜運転を直ちに開始させることを特徴とする。
【００１５】
本発明によれば、他の空調装置について除霜開始条件の成立が近づいた場合に、その条件成立に伴い開始される当該他の空調装置の除霜運転中に所定の空調装置の除霜運転が開始される可能性があるか否かが予測される。そして、その予測の結果、開始される可能性がある場合には、当該他の空調装置の除霜運転が直ちに開始される。つまり、この場合、当該他の空調装置の除霜開始条件が成立するのを待つことなく、当該空調装置の除霜運転が開始される。これにより、他の空調装置の除霜運転が行われている間に所定の空調装置の除霜運転が始まって当該所定の空調装置から他の空調装置の空調エリアへ暖気を供給できなくなる事態が生じるのを回避することが可能となる。このため、他の空調装置の除霜運転に伴い室温が低下するのを確実に抑制することが可能となる。
【００１６】
第５の発明の建物の空調システムは、第２乃至第４のいずれかの発明において、前記制御手段は、前記他エリア給気処理を行う前に前記所定の空調装置が暖房運転とは異なる非暖房運転状態にある場合には、当該所定の空調装置の暖房運転を実行させ、当該他エリア給気処理の終了後は、当該所定の空調装置を前記非暖房運転状態に復帰させることを特徴とする。
【００１７】
本発明によれば、他エリア給気処理を行う前に所定の空調装置が暖房運転とは異なる運転状態（非暖房運転状態）にある場合には当該所定の空調装置の暖房運転が実行され、その後、他エリア給気処理（つまり、上記暖房運転により生成される暖気を他の空調装置の空調エリアへ供給する処理）が行われることになる。そして、他エリア給気処理の終了後は、所定の空調装置が他エリア給気処理の実施前の状態である非暖房運転状態に戻される。これにより、他エリア給気処理の前に所定の空調装置が非暖房運転状態にある場合には、他エリア給気処理の際に一時的に暖房運転に移行されるだけで、所定の空調装置の空調エリアに大きな影響を与えることを回避することができる。なお、非暖房運転状態としては、送風運転の状態、除湿運転の状態、運転停止の状態等が挙げられる。
【００１８】
第６の発明の建物の空調システムは、第２乃至第５のいずれかの発明において、前記切替手段としての第１切替手段に加え、前記所定の空調装置により生成される暖気を前記第１空調ダクトを通じて当該所定の空調装置の前記空調エリアに供給するか否かを切り替える第２切替手段を備え、前記制御手段は、前記他エリア給気処理を行う前に当該所定の空調装置が暖房運転とは異なる運転状態にある場合には、当該所定の空調装置の暖房運転を実行させるともに、その暖房運転により生成される暖気が当該所定の空調装置の前記空調エリアへ供給されないよう前記第２切替手段を制御することを特徴とする。
【００１９】
本発明によれば、他エリア給気処理を行う前に所定の空調装置が暖房運転とは異なる運転状態（非暖房運転状態）にある場合には、当該所定の空調装置の暖房運転が実行されるとともに、その暖房運転により生成される暖気が当該所定の空調装置の空調エリアへ供給されないようにされる。この場合、他エリア給気処理の際、所定の空調装置により生成される暖気が他の空調エリアにのみ供給されるため、当該空調エリアの室温低下をより一層抑制することができる。
【００２０】
第７の発明の建物の空調システムは、第１乃至第６のいずれかの発明において、前記各空調装置がそれぞれ前記第２空調ダクトが設けられた前記所定の空調装置となっており、前記各第２空調ダクトに対してそれぞれ前記切替手段が設けられていることを特徴とする。
【００２１】
本発明によれば、各空調装置（所定の空調装置）それぞれに第２空調ダクトが設けられているため、各空調装置それぞれにおいて、空調装置により生成される暖気を他の空調装置の空調エリアに供給することが可能となる。これにより、空調装置の除霜運転時にその空調エリアの室温が低下するのを抑制する効果を、各空調装置の空調エリアそれぞれで得ることが可能となる。
【図面の簡単な説明】
【００２２】
【図１】空調システムが設けられた建物を示す図。
【図２】空調チャンバの内部構成を示す断面図。
【図３】空調システムの電気的構成を示す図。
【図４】暖房制御処理を示すフローチャート。
【図５】第２除霜運転時処理を示すフローチャート。
【図６】他の実施形態における空調システムが設けられた建物を示す図。
【図７】他の実施形態における空調システムが設けられた建物を示す図。
【発明を実施するための形態】
【００２３】
以下に、本発明を具体化した一実施の形態について図面を参照しつつ説明する。なお、図１は空調システムが設けられた建物を示す図である。
【００２４】
図１に示すように、住宅等の建物１０は、二階建ての建物とされている。建物１０は、基礎１１上に設けられた下階部としての一階部分１２と、その一階部分１２の上に設けられた上階部としての二階部分１３と、その二階部分１３の上に設けられた屋根部１４とを備える。屋根部１４は、例えば切り妻式の屋根により構成されている。
【００２５】
建物１０の一階部分１２には、複数の部屋１６〜１９が設けられている。これらの部屋１６〜１９のうち、部屋１６〜１８は、例えばリビングやダイニング、和室、寝室等からなる。また、部屋１９は、空調装置５１の室内機５１ａが設置される機械室１９となっている。機械室１９は、その天井が下がり天井により形成されている。これらの部屋１６〜１９は間仕切壁２１により互いに仕切られている。間仕切壁２１は、対向する一対の壁面材２２を有して構成され、これら各壁面材２２の間には壁内空間２３が形成されている。図１では便宜上、各部屋１７，１８の間の間仕切壁２１についてのみ、各壁面材２２及び壁内空間２３を示している。
【００２６】
建物１０の二階部分１３にも、一階部分１２と同様、複数の部屋２６，２７が設けられている。これらの部屋２６，２７は間仕切壁３１により仕切られている。間仕切壁３１は、対向する一対の壁面材３２を有して構成され、これら壁面材３２の間には壁内空間３３が形成されている。
【００２７】
一階部分１２には、一階床部３５と一階天井部３６とが設けられている。一階床部３５は、床面材を有して構成され、その下方には床下空間３８が形成されている。床下空間３８は、その周囲が基礎１１（外周基礎）によって囲まれている。また、一階天井部３６は、天井面材を有して構成されている。
【００２８】
二階部分１３には、二階床部４１と二階天井部４２とが設けられている。二階床部４１は床面材を有して構成され、その下方の一階天井部３６との間には階間空間４３が形成されている。二階天井部４２は、天井面材を有して構成され、その上方には屋根部１４の屋根裏空間４５が形成されている。
【００２９】
建物１０には、全館式の空調システムが設けられている。以下においては、その空調システムの構成について説明する。
【００３０】
空調システムは、２つの空調装置５１，５２を備えている。各空調装置５１，５２は、いずれもヒートポンプ式の装置となっており、冷房運転及び暖房運転を行うことが可能となっている。また、各空調装置５１，５２は、冷暖房運転の他に、送風運転や除湿運転を行うことが可能となっている。
【００３１】
各空調装置５１，５２のうち、第１空調装置５１は、一階部分１２の部屋１６〜１８を空調対象として空調（冷暖房）を行うものである。また、第２空調装置５２は、二階部分１３の部屋２６，２７を空調対象として空調（冷暖房）を行うものである。この場合、一階部分１２の部屋１６〜１８が第１空調装置５１の空調エリアとなっており、二階部分１３の部屋２６，２７が第２空調装置５２の空調エリアとなっている。なお、以下では、第１空調装置５１の空調エリアとなっている各部屋１６〜１８を一階部屋１６〜１８ともいい、第２空調装置５２の空調エリアとなっている各部屋２６，２７を二階部屋２６，２７ともいう。また、この場合、第１空調装置５１にとっては、二階部屋２６，２７が「他の空調装置の空調エリア」に相当し、第２空調装置５２にとっては、一階部屋１６〜１８が「他の空調装置の空調エリア」に相当する。
【００３２】
第１空調装置５１は、室内機５１ａと室外機５１ｂとを有しており、これら室内機５１ａと室外機５１ｂとが冷媒管５１ｃを介して互いに接続されることにより構成されている。室内機５１ａは、一階部分１２の機械室１９に設置され、室外機５１ｂは、屋外に設置されている。また、冷媒管５１ｃは床下空間３８を通じて配設され、図１では便宜上点線で示している。
【００３３】
室内機５１ａは、機械室１９内の空気を取り込みその空気を温度調整することで空調空気（冷気又は暖気）を生成する。具体的には、室内機５１ａには熱交換器（図示略）が内蔵され、その熱交換器が冷媒管５１ｃと接続されている。室内機５１ａでは、その熱交換器において、内部を流れる冷媒と機械室１９から取り込んだ空気との間で熱交換が行われ、その熱交換により上記取り込んだ空気が温度調整され空調空気（冷気又は暖気）が生成される。
【００３４】
なお、室外機５１ｂにも、室内機５１ａと同様、熱交換器（図示略）が内蔵され、その熱交換器が冷媒管５１ｃと接続されている。この場合、その熱交換器において、内部を流れる冷媒と屋外空気との間で熱交換が行われる。例えば、第１空調装置５１の暖房運転時には、熱交換器において冷媒が屋外空気から熱を吸収する。つまり、この場合、熱交換器が蒸発器として用いられる。
【００３５】
室内機５１ａは、床下空間３８に設置された空調チャンバ５４と接続されている。空調チャンバ５４には、複数の空調ダクト５５が接続されている。これら各空調ダクト５５はいずれも床下空間３８に配設され、一階床部３５に設けられた吹出口５６に接続されている。これら各吹出口５６は、一階部分１２の各部屋１６〜１８に設けられている。なお、空調ダクト５５が第１空調ダクトに相当する。
【００３６】
第１空調装置５１の室内機５１ａにより生成される空調空気（冷気又は暖気）は空調チャンバ５４及び各空調ダクト５５を通じて各吹出口５６に供給され、それら吹出口５６より各一階部屋１６〜１８に吹き出される。これにより、それら吹き出された空調空気により、各一階部屋１６〜１８の冷暖又は暖房が行われる。
【００３７】
第２空調装置５２は、第１空調装置５１と同様、室内機５２ａと室外機５２ｂとを有しており、これら室内機５２ａと室外機５２ｂとが冷媒管５２ｃを介して互いに接続されることにより構成されている。室内機５２ａは、屋根部１４の屋根裏空間４５に設置され、室外機５２ｂは、屋外において第１空調装置５１の室外機５１ｂと並んで設置されている。また、冷媒管５２ｃは、間仕切壁２１，３１の壁内空間２３，３３、階間空間５３及び床下空間３８を通じて配設され、図１では便宜上点線にて示している。
【００３８】
室内機５２ａは、屋根裏空間４５の空気を取り込みその空気を温度調整することで空調空気（冷気又は暖気）を生成する。具体的には、室内機５２ａには熱交換器（図示略）が内蔵され、その熱交換器が冷媒管５２ｃと接続されている。室内機５２ａでは、その熱交換器において、内部を流れる冷媒と屋根裏空間４５から取り込んだ空気との間で熱交換が行われ、その熱交換により上記取り込んだ空気が温度調整され空調空気（冷気又は暖気）が生成される。
【００３９】
なお、室外機５２ｂにも、室内機５２ａと同様、熱交換器（図示略）が内蔵され、その熱交換器が冷媒管５２ｃと接続されている。この場合、その熱交換器において、内部を流れる冷媒と屋外空気との間で熱交換が行われる。例えば、第２空調装置５２の暖房運転時には、熱交換器において冷媒が屋外空気から熱を吸収する。つまり、この場合、熱交換器が蒸発器として用いられる。
【００４０】
室外機５２ｂは、屋根裏空間４５に設置された空調チャンバ５７と接続されている。空調チャンバ５７には、複数の空調ダクト５８が接続されている。これら各空調ダクト５８はいずれも屋根裏空間４５に配設され、二階天井部４２に設けられた吹出口５９に接続されている。これら各吹出口５９は、二階部分１３の各部屋２６，２７に設けられている。なお、空調ダクト５８が第１空調ダクトに相当する。
【００４１】
第２空調装置５２の室内機５２ａにより生成される空調空気（冷気又は暖気）は空調チャンバ５７及び各空調ダクト５８を通じて各吹出口５９に供給され、それら吹出口５９より各二階部屋２６，２７に吹き出される。これにより、それら吹き出された空調空気により、各二階部屋２６，２７の冷房又は暖房が行われる。
【００４２】
ここで、第１空調装置５１及び第２空調装置５２では、その暖房運転時において室外機５１ｂ，５２ｂの熱交換器に霜が付着するのを防止すべく、定期的に除霜運転が行われるようになっている。これら各空調装置５１，５２では、除霜運転が開始される除霜開始条件が予め定められており、その除霜開始条件になると暖房運転から除霜運転に運転状態が切り替えられるようになっている。
【００４３】
空調装置５１，５２の除霜運転時には、冷媒管５１ｃ，５２ｃ（詳しくは冷媒管５１ｃ，５２ｃと室内機５１ａ，５２ａ及び室外機５１ｂ，５２ｂの各熱交換器とを含む冷媒回路）を流れる冷媒の流れ向きが暖房運転時とは逆向きとされる。このため、空調装置５１，５２の暖房運転時には室外機５１ｂ，５２ｂの熱交換器が蒸発器として用いられるのに対し、除霜運転時には凝縮器として用いられる。これにより、除霜運転時には、室外機５１ｂ，５２ｂの熱交換器の表面温度が高くなり、それにより当該熱交換器に付着する霜が溶かされるようになっている。
【００４４】
各空調装置５１，５２の除霜開始条件は、室外機５１ｂ，５２ｂの熱交換器を流れる冷媒の温度によって規定されている。すなわち、室外機５１ｂ，５２ｂの熱交換器を流れる冷媒の温度が予め定められた除霜開始温度以下になると、空調装置５１，５２において除霜運転が開始されるようになっている。具体的には、第１空調装置５１の室外機５１ｂには、その熱交換器における冷媒の温度を検知する温度センサ７１が設けられ、第２空調装置５２の室外機５２ｂには、その熱交換器における冷媒の温度を検知する温度センサ７２が設けられている。そして、温度センサ７１により検知された冷媒温度が除霜開始温度以下となると、第１空調装置５１において除霜運転が開始され、温度センサ７２により検知された冷媒温度が除霜開始温度以下となると、第２空調装置５２において除霜運転が開始されるようになっている。なお、本実施形態では、各空調装置５１，５２の除霜開始温度がいずれも同じ温度となっており、以下では除霜開始温度Ｔａという。また、各空調装置５１，５２の除霜開始温度を異なる温度としてもよい。
【００４５】
ところで、上記の空調システム５０では、各空調装置５１，５２のうちいずれかで除霜運転が開始されると、その空調装置５１，５２においては暖房運転が停止されることになる。このため、その空調装置５１，５２の空調エリアでは、室温が低下することが想定される。そこで、本空調システム５０では、このような点に鑑み、第１空調装置５１により生成される暖気を第２空調装置５２の空調エリアである二階部屋２７へと供給するための構成と、第２空調装置５２により生成される暖気を第１空調装置５１の空調エリアである一階部屋１６，１８へと供給するための構成とを設けている。以下においては、これらの構成について詳しく説明する。
【００４６】
まず、第１空調装置５１により生成された暖気を二階部屋２７へ供給するための構成について説明する。
【００４７】
空調チャンバ５４には、空調ダクト５５に加え、複数の空調ダクト６１が接続されている。これら各空調ダクト６１は、床下空間３８から間仕切壁２１の壁内空間２３を通じて階間空間４３へと延びている。各空調ダクト６１は、二階床部４１に設けられた吹出口６２に接続されている。これら各吹出口６２はいずれも、二階部屋２７に設けられている。
【００４８】
かかる構成によれば、第１空調装置５１の暖房運転時において、同装置５１（詳しくは室内機５１ａ）により生成される暖気を空調チャンバ５４及び空調ダクト６１を通じて吹出口６２に供給し、その吹出口６２より二階部屋２７に吹き出すことが可能となる。このため、第１空調装置５１により、第２空調装置５２の空調エリアである二階部屋２７の暖房を行うことが可能となる。なお、この場合、空調ダクト６１が第２空調ダクトに相当し、その空調ダクト６１が設けられた第１空調装置５１が「所定の空調装置」に相当する。
【００４９】
続いて、空調チャンバ５４の内部構成について図２に基づいて説明する。図２は、空調チャンバ５４の内部構成を示す断面図である。
【００５０】
図２に示すように、空調チャンバ５４には、各空調ダクト５５，６１が接続されるダクト接続口５４ａが設けられている。これら各ダクト接続口５４ａには空調ダクト５５，６１がそれぞれ接続されている。また、空調チャンバ５４には、第１空調装置５１の室内機５１ａに接続される室内機接続口５４ｂも設けられている。
【００５１】
空調チャンバ５４には、各ダクト接続口５４ａごとに、ダクト接続口５４ａを開閉する開閉装置６３が設けられている。開閉装置６３は、例えばダンパ装置として構成されている。開閉装置６３は、空調チャンバ５４に回転可能に軸支された開閉板６３ａと、その開閉板６３ａを回転駆動する駆動部６３ｂ（図３参照）とを有している。開閉装置６３では、駆動部６３ｂにより開閉板６３ａが回転駆動されることで、その開閉板６３ａによりダクト接続口５４ａが開閉されるようになっている。
【００５２】
ここで、各ダクト接続口５４ａには、空調ダクト５５が接続されているダクト接続口５４ａと、空調ダクト６１が接続されているダクト接続口５４ａとが含まれている。以下の説明では、前者のダクト接続口５４ａに対して設けられた開閉装置６３の符号にＡを付し、後者のダクト接続口５４ａに対して設けられた開閉装置６３の符号にＢを付す。また、図２では、これら各開閉装置６３Ａ，６３Ｂの区別をし易くするため、開閉装置６３Ｂの開閉板６３ａにドットハッチを付して示している。
【００５３】
上記の構成によれば、第１空調装置５１の暖房運転時において、各開閉装置６３Ａ（開閉板６３ａ）によりダクト接続口５４ａが開放されると、第１空調装置５１の室内機５１ａにより生成された暖気が室内機５１ａから空調チャンバ５４を介して各空調ダクト５５に流れ込む（図２の矢印参照）。そして、それら流れ込んだ暖気が各空調ダクト５５を通じて各一階部屋１６〜１８に供給される。したがって、この場合、その暖気により各一階部屋１６〜１８の暖房が行われる。
【００５４】
それに対し、各開閉装置６３Ａによりダクト接続口５４ａが閉鎖されると、暖気が空調チャンバ５４から各空調ダクト５５に流れることが禁止され、ひいては各空調ダクト５５を通じて各一階部屋１６〜１８へ供給されることが禁止される。したがって、この場合、各一階部屋１６〜１８の暖房が行われないことになる。このように、各開閉装置６３Ａの開閉により、各一階部屋１６〜１８へ暖気を供給するか否か、つまりは各一階部屋１６〜１８の暖房を行うか否かを切り替えることが可能となっている。なお、この場合、各開閉装置６３Ａが第２切替手段に相当する。
【００５５】
また、第１空調装置５１の暖房運転時において、各開閉装置６３Ｂ（開閉板６３ａ）によりダクト接続口５４ａが開放されると、第１空調装置５１の室内機５１ａにより生成された暖気が室内機５１ａから空調チャンバ５４を介して各空調ダクト６１に流れ込む。そして、それら流れ込んだ暖気が各空調ダクト６１を通じて二階部屋２７へと供給される。したがって、この場合、その暖気により二階部屋２７の暖房が行われる。
【００５６】
それに対し、各開閉装置６３Ｂによりダクト接続口５４ａが閉鎖されると、暖気が空調チャンバ５４から各空調ダクト６１に流れることが禁止され、ひいては各空調ダクト６１を通じて二階部屋２７へ供給されることが禁止される。したがって、この場合、二階部屋２７の暖房が行われないことになる。このように、各開閉装置６３Ｂの開閉により、暖気を二階部屋２７へ供給するか否か、つまりは二階部屋２７の暖房を行うか否かを切り替えることが可能となっている。なお、この場合、各開閉装置６３Ｂが切替手段及び第１切替手段に相当する。
【００５７】
続いて、第２空調装置５２により生成された暖気を一階部屋１６，１８へ供給するための構成について説明する。
【００５８】
図１に示すように、空調チャンバ５７には、空調ダクト５８に加え、複数の空調ダクト６６が接続されている。これら各空調ダクト６６は、屋根裏空間４５から間仕切壁３１の壁内空間３３を通じて階間空間４３へ延びている。各空調ダクト６６は、一階天井部３６に設けられた吹出口６７に接続されている。これら各吹出口６７は、一階部屋１６，１８に設けられている。
【００５９】
かかる構成によれば、第２空調装置５２の暖房運転時において、同装置５２（詳しくは室内機５２ａ）により生成される暖気を空調チャンバ５７及び空調ダクト６６を通じて吹出口６７に供給し、その吹出口６７より各一階部屋１６，１８に吹き出すことが可能となる。このため、その暖気により各一階部屋１６，１８の暖房を行うことが可能となる。なお、この場合、空調ダクト６６が第２空調ダクトに相当し、その空調ダクト６６が設けられた第２空調装置５２が「所定の空調装置」に相当する。
【００６０】
また、図示は省略するが、空調チャンバ５７の内部には、上述した空調チャンバ５４（図２参照）と同様の構成が設けられている。すなわち、空調チャンバ５７の内部にも、各空調ダクト５８，６６にそれぞれ対応させて複数の開閉装置６８（図３参照）が設けられている。各開閉装置６８のうち、開閉装置６８Ａは空調ダクト５８に対応させて設けられ、開閉装置６８Ｂは空調ダクト６６に対応させて設けられている。
【００６１】
この場合、第２空調装置５２の暖房運転時において、各開閉装置６８Ａの開閉により、同装置５２の室内機５２ａにより生成される暖気を空調ダクト５８を通じて各二階部屋２６，２７に供給するか否かを切り替えることが可能となっている。つまり、各二階部屋２６，２７の暖房を行うか否かを切り替えることが可能となっている。なお、この場合、各開閉装置６８Ａが第２切替手段に相当する。
【００６２】
また、第２空調装置５２の暖房運転時において、各開閉装置６８Ｂの開閉により、同装置５２の室内機５２ａにより生成される暖気を空調ダクト６６を通じて各一階部屋１６，１８に供給するか否かを切り替えることが可能となっている。つまり、各一階部屋１６，１８の暖房を行うか否かを切り替えることが可能となっている。なお、この場合、各開閉装置６８Ｂが切替手段及び第１切替手段に相当する。
【００６３】
続いて、空調システム５０の電気的構成について図３に基づいて説明する。図３は、空調システム５０の電気的構成を示す図である。
【００６４】
図３に示すように、空調システム５０は、制御手段としてのコントローラ７０を備える。コントローラ７０は、ＣＰＵ等を有する周知のマイクロコンピュータを主体に構成され、例えば機械室１９の壁面に設けられている。また、コントローラ７０は、記憶部７０ａを有している。記憶部７０ａには、各空調装置５１，５２の運転状態等が記憶されるようになっている。
【００６５】
コントローラ７０には、各温度センサ７１，７２が接続されている。コントローラ７０には、これら各温度センサ７１，７２から逐次検知結果が入力される。
【００６６】
また、コントローラ７０には、各空調装置５１，５２が接続されているとともに、各開閉装置６３，６８が接続されている。コントローラ７０は、各温度センサ７１，７２からの検知結果に基づき、各空調装置５１，５２の運転制御を行うとともに、各開閉装置６３，６８の開閉制御を行う。
【００６７】
次に、コントローラ７０により実行される暖房制御処理について図４に基づき説明する。図４は、暖房制御処理を示すフローチャートである。なお、本処理は、所定の周期で繰り返し実行される。
【００６８】
図４に示すように、まずステップＳ１１では、第１空調装置５１が暖房運転中であるか否かを判定する。第１空調装置５１が暖房運転中でない場合、例えば第１空調装置５１が運転停止中であったり、送風運転や除湿運転等、暖房運転以外の運転を実施していたりする場合にはステップＳ１３に進む。一方、第１空調装置５１が暖房運転中である場合には、ステップＳ１２に進む。
【００６９】
ステップＳ１２では、温度センサ７１からの検知結果に基づいて、第１空調装置５１について除霜開始条件の成立が近づいたか否かを判定する（判定手段に相当）。この判定は、例えば温度センサ７１により検知された室外機５１ｂ（熱交換器）の冷媒温度が除霜開始温度Ｔａよりも所定温度だけ高い除霜開始前温度まで下がったか否かに基づき行う。室外機５１ｂの冷媒温度が除霜開始前温度まで下がった場合には、第１空調装置５１について除霜開始条件の成立が近づいたと判定してステップＳ１６に進む。
【００７０】
ステップＳ１６では、第１除霜運転時処理を行う。この処理は、除霜開始条件の成立が近づいた第１空調装置５１の空調エリアである一階部屋１６，１８に、第２空調装置５２により生成される暖気を空調ダクト６６を通じて供給するための処理である。この第１除霜運転時処理を行った後、本処理を終了する。
【００７１】
先のステップＳ１２において、第１空調装置５１について除霜開始条件の成立が近づいていない場合には、ステップＳ１３に進む。ステップＳ１３では、第２空調装置５２が暖房運転中であるか否かを判定する。第２空調装置５２が暖房運転中でない場合には本処理を終了し、暖房運転中である場合にはステップＳ１４に進む。
【００７２】
ステップＳ１４では、温度センサ７２からの検知結果に基づいて、第２空調装置５２について除霜開始条件の成立が近づいたか否かを判定する（判定手段に相当）。この判定は、例えば温度センサ７２により検知された室外機５２ｂ（熱交換器）の冷媒温度が除霜開始温度Ｔａよりも所定温度だけ高い除霜開始前温度まで下がったか否かに基づき行う。室外機５２ｂの冷媒温度が除霜開始前温度まで下がった場合には第２空調装置５２について除霜開始条件の成立が近づいたと判定してステップＳ１５に進む。一方、室外機５２ｂの冷媒温度が除霜開始前温度まで下がっていない場合には第２空調装置５２について除霜開始条件の成立が近づいていないと判定して本処理を終了する。
【００７３】
ステップＳ１５では、第２除霜運転時処理を行う。この処理は、除霜開始条件の成立が近づいた第２空調装置５２の空調エリアである二階部屋２７に、第１空調装置５１により生成される暖気を空調ダクト６１を通じて供給するための処理である。この第２除霜運転時処理を行った後、本処理を終了する。
【００７４】
続いて、ステップＳ１５，Ｓ１６の各除霜運転時処理のうち、ステップＳ１５の第２除霜運転時処理について説明する。図５は、第２除霜運転時処理を示すフローチャートである。以下においては、この図５に基づいて本処理の説明を行う。なお、ステップＳ１６の第１除霜運転時処理は、基本的に、第２除霜運転時処理と処理の内容が同じとなっているため、その説明を割愛することとする。
【００７５】
図５に示すように、まずステップＳ２１では、第１空調装置５１が暖房運転中であるか否かを判定する。第１空調装置５１が暖房運転中である場合にはステップＳ２５に進み、第１空調装置５１が暖房運転中でない場合、つまり暖房運転とは異なる運転状態（非暖房運転状態）にある場合にはステップＳ２２に進む。
【００７６】
ステップＳ２２では、第１空調装置５１の運転状態を記憶部７０ａに記憶する。第１空調装置５１が暖房運転中でない場合、第１空調装置５１は、送風運転の状態、除湿運転の状態、又は運転停止の状態にあると考えられる。したがって、本ステップでは、第１空調装置５１がこれら各運転状態（非暖房運転状態）のうちいずれの状態にあるかを記憶部７０ａに記憶する。
【００７７】
ステップＳ２３では、第１空調装置５１の暖房運転を実行させる。これにより、第１空調装置５１の室内機５１ａにより暖気が生成される。
【００７８】
続くステップＳ２４では、各開閉装置６３Ａについて駆動部６３ｂを駆動させることで開閉板６３ａを閉状態とする。これにより、第１空調装置５１の室内機５１ａにより生成される暖気が空調ダクト５５を通じて一階部屋１６〜１８へ供給されることが禁止される。つまり、この場合、第１空調装置５１により生成される暖気が同装置５１の空調エリアである一階部屋１６〜１８へ供給されることが禁止される。
【００７９】
ステップＳ２５では、各開閉装置６３Ｂについて駆動部６３ｂを駆動させることで開閉板６３ａを開状態とする。これにより、第１空調装置５１の室内機５１ａにより生成される暖気が空調ダクト６１を通じて二階部屋２７へ供給される二階部屋給気処理（他エリア給気処理に相当）が行われる（開始される）。この場合、第１空調装置５１により生成される暖気が第２空調装置５２の空調エリアである二階部屋２７へと供給される。
【００８０】
ステップＳ２６では、第２空調装置５２の除霜運転が行われる除霜運転期間を予測する。具体的には、第２空調装置５２が除霜開始条件の成立に伴い除霜運転を開始する運転開始時から、その除霜運転が終了する運転終了時までの間の期間（除霜運転期間）を予測する。この予測は、例えば温度センサ７２により検知された室外機５２ｂの冷媒温度に基づき行う。
【００８１】
ステップＳ２７では、第１空調装置５１の除霜運転が開始される除霜運転開始時期を予測する。この予測は、例えば温度センサ７１により検知された室外機５１ｂの冷媒温度に基づき行う。
【００８２】
ステップＳ２８では、ステップＳ２６及びステップＳ２７の予測結果に基づいて、除霜開始条件の成立に伴い開始される第２空調装置５２の除霜運転中に第１空調装置５１の除霜運転が開始される可能性があるか否かを判定（予測）する（予測手段に相当）。第２空調装置５２の除霜運転中に第１空調装置５１の除霜運転が開始される可能性がない場合にはステップＳ２９に進む。
【００８３】
ステップＳ２９では、温度センサ７２により検知された室外機５２ｂの冷媒温度に基づき、第２空調装置５２の除霜開始条件が成立したか否かを判定する。つまり、この場合、温度センサ７２により検知された冷媒温度が除霜開始温度Ｔａまで下がったか否かを判定する。第２空調装置５２の除霜開始条件が成立した場合にはステップＳ３０に進み、第２空調装置５２の除霜運転を実行させる。これにより、第２空調装置５２は、暖房運転状態から除霜運転状態に切り替わる。一方、第２空調装置５２の除霜開始条件が成立していない場合には除霜開始条件が成立するまでステップＳ２９の処理を繰り返し行う。
【００８４】
先のステップＳ２８において、第２空調装置５２の除霜運転中に第１空調装置５１の除霜運転が開始される可能性がある場合には、ステップＳ３０に進み、第２空調装置５２の除霜運転を直ちに実行させる。この場合、第２空調装置５２の除霜開始条件が成立するのを待つことなく、第２空調装置５２の除霜運転が開始される。
【００８５】
ステップＳ３１では、温度センサ７２により検知された室外機５２ｂの冷媒温度に基づき、第２空調装置５２の除霜終了条件が成立したか否かを判定する。例えば、室外機５２ｂの冷媒温度が予め定められた除霜終了温度以上になると、除霜終了条件が成立したと判定する。本ステップでは、除霜終了条件が成立したか否かの判定を、除霜終了条件が成立するまで繰り返し行う。そして、除霜終了条件が成立するとステップＳ３２に進む。
【００８６】
ステップＳ３２では、第２空調装置５２の暖房運転を実行させる。これにより、第２空調装置５２は、除霜運転状態から暖房運転状態に切り替わる。
【００８７】
ステップＳ３３では、各開閉装置６３Ｂについて駆動部６３ｂを駆動させることで開閉板６３ａを閉状態とする。これにより、第１空調装置５１（室内機５１ａ）により生成される暖気が空調ダクト６１を通じて二階部屋２７へ供給されることが禁止される。つまり、これにより、ステップＳ２５において開始された二階部屋給気処理が終了される。
【００８８】
ステップＳ３４では、二階部屋給気処理が開始される前（ステップＳ２５よりも前）に、第１空調装置５１が暖房運転中であったか否かを判定する。この判定は、ステップＳ２１の判定結果に基づいて行う。第１空調装置５１が暖房運転中であった場合には本処理を終了する。第１空調装置５１が暖房運転中でなかった場合、つまり第１空調装置５１が暖房運転とは異なる非暖房運転状態にあった場合にはステップＳ３５に進む。
【００８９】
ステップＳ３５では、第１空調装置５１を二階部屋給気処理が開始される前の運転状態（非暖房運転状態）に戻す処理を行う。この処理では、第１空調装置５１の運転状態を記憶部４０ａに記憶されている運転状態（非暖房運転状態）に戻す。これにより、第１空調装置５１が、暖房運転状態から非暖房運転状態に切り替わる。なお、第１空調装置５１の運転状態を除湿運転状態又は送風運転状態に戻す場合には、各開閉装置６３Ａの開閉板６３ａを開状態として、同装置５１（室内機５１ａ）により生成される空調空気（除湿空気又は送風空気）が空調ダクト５５を通じて一階部屋１６〜１８へ供給されるようにする。その後、本処理を終了する。
【００９０】
以上、詳述した本実施形態の構成によれば、以下の優れた効果が得られる。
【００９１】
空調システム５０を、一階部屋１６〜１８（空調エリアに相当）の空調を行う第１空調装置５１と、二階部屋２６，２７（空調エリアに相当）の空調を行う第２空調装置５２とを備える構成とし、第１空調装置５１により生成される暖気については空調ダクト５５を通じて一階部屋１６〜１８に供給するようにし、第２空調装置５２により生成される暖気については空調ダクト５８を通じて二階部屋２６，２７に供給するようにした。これにより、各空調装置５１，５２により各々の空調エリア（具体的には、一階部屋１６〜１８，二階部屋２６，２７）の暖房が行われる。
【００９２】
そして、かかる空調システム５０にあって、第１空調装置５１に対して、空調ダクト５５に加えて、空調ダクト６１を設け、第１空調装置５１により生成される暖気をその空調ダクト６１を通じて第２空調装置５２の空調エリアである二階部屋２７に供給可能とした。また、開閉装置６３Ｂの開閉により、第１空調装置５１により生成される暖気を二階部屋２７に供給するか否かを切替可能とした。この場合、第２空調装置５２の除霜運転時においては、第１空調装置５１から暖気を二階部屋２７に供給するよう切り替えることで、二階部屋２７の室温が低下するのを抑制することができる。
【００９３】
これと同様に、第２空調装置５２に対しては、空調ダクト５８に加えて、空調ダクト６６を設け、第２空調装置５２により生成される暖気をその空調ダクト６６を通じて第１空調装置５１の空調エリアである一階部屋１６，１８に供給可能とした。また、開閉装置６８Ｂの開閉により、第２空調装置５２により生成される暖気を一階部屋１６，１８に供給するか否かを切替可能とした。この場合、第１空調装置５１の除霜運転時においては、第２空調装置５２から暖気を一階部屋１６，１８に供給するよう切り替えることで、一階部屋１６，１８の室温が低下するのを抑制することができる。
【００９４】
以上より、本空調システム５０によれば、各空調装置５１，５２のうちいずれの空調装置がその暖房運転中に除霜運転を開始した場合にも（つまりは除霜運転開始に伴い暖房運転が一時的に停止された場合にも）、室温が低下するのを抑制することができる。
【００９５】
また、本空調システム５０では、第１空調装置５１の除霜運転に際し行われる第１除霜運転時処理（ステップＳ１６）と、第２空調装置５２の除霜運転に際し行われる第２除霜運転時処理（ステップＳ１５）とによって、優れた作用効果を奏するものとなっている。上述したように、これら各除霜運転時処理は、基本的に同様の処理となっており、そのため、これら各除霜運転時処理により奏する作用効果も基本的に同じものとなっている。したがって、以下においては、各除霜運転時処理のうち、第２除霜運転時処理により奏する作用効果について説明を行い、第１除霜運転時処理により奏する作用効果については説明を割愛することとする。
【００９６】
第２空調装置５２（他の空調装置に相当）の除霜運転中においては、開閉装置６３Ｂを開閉制御することで、第１空調装置５１（所定の空調装置に相当）により生成される暖気を第２空調装置５２の空調エリアである二階部屋２７に供給する二階部屋給気処理（他エリア給気処理に相当）を行うようにした。これにより、第２空調装置５２の除霜運転に伴い二階部屋２７の室温が低下するのを好適に抑制することができる。
【００９７】
第２空調装置５２について除霜開始条件の成立が近づいた場合に、二階部屋給気処理を開始するようにした。この場合、第２空調装置５２の除霜運転が開始する前から、第１空調装置５１より二階部屋２７へ暖気が供給されるため、第２空調装置５２の除霜運転に伴い二階部屋２７の室温が低下するのをより一層抑制することができる。
【００９８】
第２空調装置５２について除霜開始条件の成立が近づいた場合に、その条件成立に伴い開始される第２空調装置５２の除霜運転中に第１空調装置５１の除霜運転が開始される可能性があるか否かを予測するようにした。そして、その予測の結果、開始される可能性がある場合には、第２空調装置５２の除霜運転を直ちに開始するようにした。つまり、第２空調装置５２の除霜開始条件が成立するのを待つことなく、第２空調装置５２の除霜運転を直ちに開始するようにした。これにより、第２空調装置５２の除霜運転が行われている間に第１空調装置５１の除霜運転が始まって第１空調装置５１から二階部屋２７へ暖気を供給できなくなる事態が生じるのを回避することが可能となる。このため、第２空調装置５２の除霜運転に伴い室温が低下するのを確実に抑制することが可能となる。
【００９９】
二階部屋給気処理を行う前に第１空調装置５１が暖房運転とは異なる運転状態（非暖房運転状態）にある場合には第１空調装置５１の暖房運転を実行し、その後、二階部屋給気処理を行うようにした。そして、二階部屋給気処理を終了した後は、第１空調装置５１を二階部屋給気処理の実施前の運転状態（非暖房運転状態）に戻すようにした。これにより、二階部屋給気処理の前に第１空調装置５１が非暖房運転状態にある場合には、二階部屋給気処理を行う際に一時的に第１空調装置５１が暖房運転に移行されるだけで、同装置５１の空調エリアである一階部屋１６〜１８に大きな影響を与えることを回避できる。
【０１００】
二階部屋給気処理を行う前に第１空調装置５１が暖房運転とは異なる運転状態（非暖房運転状態）にある場合には第１空調装置５１の暖房運転を実行するとともに、その暖房運転により生成される暖気が第１空調装置５１の空調エリアである一階部屋１６〜１８へ供給されないよう開閉装置６３Ａを開閉制御するようにした。この場合、二階部屋給気処理の際、第１空調装置５１により生成される暖気が二階部屋２７にのみ供給されるため、二階部屋２７の室温低下をより一層抑制することができる。
【０１０１】
本発明は上記実施形態に限らず、例えば次のように実施されてもよい。
【０１０２】
（１）上記実施形態では、第１空調装置５１により生成される暖気を第２空調装置５２の空調エリアである二階部屋２７に供給するための空調ダクト６１（第２空調ダクトに相当）と、第２空調装置５２により生成される暖気を第１空調装置５１の空調エリアである一階部屋１６，１８に供給するための空調ダクト６６（第２空調ダクトに相当）とをそれぞれ設けたが、これら各空調ダクト６１，６６のうちいずれか一方だけ設けるようにしてもよい。
【０１０３】
（２）上記実施形態では、第１空調装置５１により生成される暖気を第２空調装置５２の空調エリア（二階部屋２７）に供給する空調ダクト６１を複数設けたが、かかる空調ダクト６１を１つだけ設けるようにしてもよい。これと同様に、上記実施形態では、第２空調装置５２により生成される暖気を第１空調装置５１の空調エリア（一階部屋１６，１８）に供給する空調ダクト６６を複数設けたが、かかる空調ダクト６６を１つだけ設けるようにしてもよい。
【０１０４】
（３）上記実施形態では、コントローラ７０により、第２空調装置５２の除霜運転中において、二階部屋給気処理が自動で行われるようにしたが、ユーザによる操作部（リモコン等）の操作に基づいて二階部屋給気処理が行われるようにしてもよい。
【０１０５】
（４）ところで、第２空調装置５２の暖房運転が一時的に停止されるのは必ずしも除霜運転開始に伴う場合に限られない。例えば、第２空調装置５２の暖房運転中に、フィルタ等の汚れがたまって掃除モードが自動開始されることにより、暖房運転が停止される場合も考えられる。そこで、第２空調装置５２がかかるモードで運転を開始した場合に、第１空調装置５１により生成される暖気を第２空調装置５２の空調エリアである二階部屋２７に供給する処理（二階部屋給気処理）を行うようにしてもよい。その場合にも、空調装置の暖房運転が一時的に停止されることにより室温が低下するのを抑制することができる。
【０１０６】
（５）上記実施形態では、２つの空調装置５１，５２を備える空調システム５０に本発明を適用した場合について説明したが、３つ以上の空調装置を備える空調システムに本発明を適用してもよい。例えば、３つの空調装置を備える空調システムに本発明を適用する場合について説明すると、かかる空調システムでは、３つの空調装置が、互いに重複しないよう設定された各々の空調エリアを空調対象として空調を行うものとなっている。そして、このような構成にあって、３つの空調装置のうち少なくともいずれかの空調装置（以下、所定の空調装置という）に対して、当該空調装置により生成される暖気を当該空調装置とは異なる他の空調装置の空調エリアへ供給するための空調ダクト（第２空調ダクトに相当）を設けるようにする。この場合においても、他の空調装置の除霜運転時においては、上記所定の空調装置により生成される暖気を上記空調ダクトを通じて他の空調装置の空調エリアへ供給することができる。そのため、除霜運転に伴う室温の低下を抑制することができる。
【０１０７】
（６）第１空調装置５１により生成される暖気を二階部屋へと供給する空調ダクト６１と、第２空調装置５２により生成される暖気を一階部屋へと供給する空調ダクト６６とについて、その建物１０内における取り回しを上記実施形態と異ならせてもよい。その場合の例を図６に基づいて説明する。
【０１０８】
まず、第１空調装置５１より二階部屋へ暖気を供給する空調ダクトについて説明する。図６の例では、第１空調装置５１側の空調チャンバ５４に空調ダクト６１に代えて、空調ダクト８１が接続されている。この空調ダクト８１は、床下空間３８から一階部分１２の壁内空間２３を通じて階間空間４３へ延びており、その階間空間４３から二階部分１３の壁内空間３３を通じて屋根裏空間４５へ延びている。空調ダクト８１は、二階部屋２６の天井部に設けられた吹出口８２に接続されている。この場合、第２空調装置５２の除霜運転時に、第１空調装置５１（詳しくは室内機５１ａ）により生成された暖気を空調ダクト８１及び吹出口８２を介して二階部屋２６へと供給することが可能となる。そのため、第２空調装置５２の除霜運転時に、二階部屋２６の室温が低下するのを抑制することが可能となる。
【０１０９】
また、図６の例では、吹出口８２に、上記空調ダクト８１に加え、第２空調装置５２側の空調チャンバ５７に接続された空調ダクト８３が接続されている。この場合、第２空調装置５２（室内機５２ａ）により生成された暖気を空調ダクト８３及び吹出口８２を介して二階部屋２６に供給することが可能となる。かかる構成では、吹出口８２が第１空調装置５１により生成された暖気の吹出口としてだけでなく、第２空調装置５２により生成された暖気の吹出口としても用いられる。そのため、第１空調装置５１側の吹出口と第２空調装置５２側の吹出口とを個別に設ける場合と比べ、吹出口の個数削減を図ることができ、コスト低減等の効果を得ることができる。
【０１１０】
続いて、第２空調装置５２より一階部屋へ暖気を供給する空調ダクトについて説明する。図６の例では、第２空調装置５２側の空調チャンバ５７に空調ダクト６６に代えて、空調ダクト８５が接続されている。空調ダクト８５は、屋根裏空間４５から二階部分１３の壁内空間３３を通じて階間空間４３へ延びており、その階間空間４３から一階部分１２の壁内空間２３を通じて床下空間３８へ延びている。空調ダクト８５は、一階部屋１８の床部に設けられた吹出口５６に接続されている。この場合、第１空調装置５１の除霜運転時に、第２空調装置５２（詳しくは室内機５２ａ）により生成された暖気を空調ダクト８５及び吹出口５６を介して一階部屋１８へと供給することが可能となる。そのため、第１空調装置５１の除霜運転時に、一階部屋１８の室温が低下するのを抑制することが可能となる。
【０１１１】
また、吹出口５６には、上記空調ダクト８５に加え、第１空調装置５１側の空調ダクト５５が接続されている。そのため、吹出口５６は各空調装置５１，５２により生成される暖気の吹出口としてそれぞれ用いられるようになっている。これにより、上述した吹出口８２の場合と同様、吹出口の個数削減を図ることができ、コスト低減等の効果を得ることができる。
【０１１２】
（７）上記実施形態では、二階建ての建物１０に本発明の空調システム５０を適用した場合について説明したが、例えば本発明の空調システムを平屋建ての建物に適用してもよい。その場合の例を図７に基づき説明する。図７に示すように、建物９０は、平屋建てとされ、その屋内空間が仕切壁９１により全体として２つに仕切られている。仕切壁９１により仕切られた２つの空間は第１空間部９３及び第２空間部９４となっている。本建物９０は、例えば二世帯住宅とされ、第１空間部９３が子世帯（第１世帯）の居住空間、第２空間部９４が親世帯（第２世帯）の居住空間とされている。
【０１１３】
第１空間部９３は、複数の部屋９３ａ〜９３ｃを有しており、これら各部屋９３ａ〜９３ｃのうち部屋９３ｃが機械室９３ｃとなっている。これと同様、第２空間部９４は、複数の部屋９４ａ〜９４ｃを有しており、これら各部屋９４ａ〜９４ｃのうち部屋９４ｃが機械室９４ｃとなっている。また、第１空間部９３及び第２空間部９４の床下には床下空間９６が設けられている。
【０１１４】
空調システム１００は、第１空間部９３（詳しくは各部屋９３ａ，９３ｂ）を空調対象とする第１空調装置１０１と、第２空間部９４（詳しくは各部屋９４ａ，９４ｂ）を空調対象とする第２空調装置１０２とを備える。これら各空調装置１０１，１０２はいずれも、室内機１０１ａ，１０２ａと室外機１０１ｂ，１０２ｂとを有し、それら室内機１０１ａ，１０２ａ及び室外機１０１ｂ，１０２ｂが冷媒管１０１ｃ，１０２ｃを介して互いに接続されることにより構成されている。
【０１１５】
第１空調装置１０１は、その室内機１０１ａが機械室９３ｃに設置され、その室内機１０１ａには空調チャンバ１０４を介して複数の空調ダクト１０５が接続されている。これら空調チャンバ１０４及び空調ダクト１０５は床下空間９６に設置されている。各空調ダクト１０５は各部屋９３ａ，９３ｂの床部に設けられた吹出口１０７に接続されている。これにより、第１空調装置１０１の暖房運転時には、その室内機１０１ａにより生成された暖気が各空調ダクト１０５及び各吹出口１０７を介して各部屋９３ａ，９３ｂに供給され、それら各部屋９３ａ，９３ｂの暖房が行われるようになっている。
【０１１６】
第２空調装置１０２は、その室内機１０２ａが機械室９４ｃに設置され、その室内機１０２ａには空調チャンバ１１４を介して複数の空調ダクト１１５が接続されている。これら空調チャンバ１１４及び空調ダクト１１５は床下空間９６に設置されている。各空調ダクト１１５は各部屋９４ａ，９４ｂの床部に設けられた吹出口１１７に接続されている。これにより、第２空調装置１０２の暖房運転時には、その室内機１０２ａにより生成された暖気が各空調ダクト１１５及び各吹出口１１７を介して各部屋９４ａ，９４ｂに供給され、それら各部屋９４ａ，９４ｂの暖房が行われるようになっている。
【０１１７】
また、空調システム１００では、第１空調装置１０１側の空調チャンバ１０４に、空調ダクト１０５に加え空調ダクト１０６が接続されている。この空調ダクト１０６は第２空間部９４の部屋９４ａの床部に設けられた吹出口１０８に接続されている。これにより、第２空調装置１０２の除霜運転時には、第１空調装置１０１により生成された暖気を空調ダクト１０６及び吹出口１０８を介して第２空間部９４の部屋９４ａに供給することが可能となっている。そのため、第２空調装置１０２の除霜運転時に、部屋９４ａの室温が低下するのを抑制することができる。
【０１１８】
これと同様に、第２空調装置１０２側の空調チャンバ１１４には、空調ダクト１１５に加え空調ダクト１１６が接続されている。この空調ダクト１１６は第１空間部９３の部屋９３ｂの床部に設けられた吹出口１１８に接続されている。これにより、第１空調装置１０１の除霜運転時には、第２空調装置１０２により生成された暖気を空調ダクト１１６及び吹出口１０８を介して第１空間部９３の部屋９３ｂに供給することが可能となっている。そのため、第１空調装置１０１の除霜運転時に、部屋９３ｂの室温が低下するのを抑制することができる。
【符号の説明】
【０１１９】
１０…建物、１６〜１８…空調エリアとしての一階部屋、２６，２７…空調エリアとしての二階部屋、５０…空調システム、５１…空調装置としての第１空調装置、５１ａ…室内機、５１ｂ…室外機、５２…空調装置としての第２空調装置、５２ａ…室内機、５２ｂ…室外機、５５…第１空調ダクトとしての空調ダクト、５８…第１空調ダクトとしての空調ダクト、６１…第２空調ダクトとしての空調ダクト、６３Ａ…第２切替手段としての開閉装置、６３Ｂ…切替手段及び第１切替手段としての開閉装置、６６…第２空調ダクトとしての空調ダクト、７０…制御手段としてのコントローラ。
【図１】
2020085328.tif 000003
【図２】
2020085328.tif 000004
【図３】
2020085328.tif 000005
【図４】
2020085328.tif 000006
【図５】
2020085328.tif 000007
【図６】
2020085328.tif 000008
【図７】
2020085328.tif 000009